(57)【要約】【課題】大量のファイルを効率的に検索することを可能にしたファイル管理方法及び装置及びプログラム及び記憶媒体を提供する。【解決手段】演算部１１２は、ファイルを検索するための検索条件の組み合わせを一つの名前やアイコンで登録手段に登録し、ユーザが前記登録手段により登録した名前やアイコンを指定することにより、前記検索条件に該当するファイルが一覧表示されるように制御する。【選択図】　　　図１
2004038755.tif 000002
【特許請求の範囲】
【請求項１】
コンピュータ・データの利用単位であるファイルを管理するファイル管理方法において、
前記ファイルを検索するための検索条件の組み合わせを一つの名前やアイコンで登録する登録ステップと、
ユーザが前記登録ステップにより登録した名前やアイコンを指定する指定ステップと、
前記指定ステップにより前記名前やアイコンを指定することにより前記検索条件に該当するファイルが一覧表示されるように制御する制御ステップとを有することを特徴とするファイル管理方法。
【請求項２】
コンピュータ・データの利用単位であるファイルを管理するファイル管理装置において、
前記ファイルを検索するための検索条件の組み合わせを一つの名前やアイコンで登録する登録手段と、
ユーザが前記登録手段により登録した名前やアイコンを指定する指定手段と、
前記指定手段により前記名前やアイコンを指定することにより前記検索条件に該当するファイルが一覧表示されるように制御する制御手段とを有することを特徴とするファイル管理装置。
【請求項３】
前記制御手段は、予め設定されるかまたは検知されたユーザの利用頻度の少ない時間帯に前記ファイルの検索処理を実行し、その検索結果を前記検索条件の組み合わせと関連させて保持し、ユーザが指示したタイミングで前記検索結果を表示するように制御することを特徴とする請求項２記載のファイル管理装置。
【請求項４】
前記制御手段は、ユーザが、表示されたファイルのグループの中に前記ファイルとは別のファイルを追加することにより、前記表示されたファイルのグループを検索するための検索条件に新たに、前記追加されたファイルを前記表示されたファイルのグループに加えるための条件記述が付け加えられるように制御することを特徴とする請求項３記載のファイル管理装置。
【請求項５】
前記制御手段は、ユーザが、表示されたファイルのグループの中に前記ファイルとは別のファイルを追加することにより、このファイルの付属データに、前記表示されたファイルのグループに加わるための記述が付け加えられるように制御することを特徴とする請求項４記載のファイル管理装置。
【請求項６】
前記制御手段は、ユーザが、表示されたファイルのグループの中から、少なくとも一つのファイルを除外することにより、前記表示されたファイルのグループを検索するための検索条件に新たに、前記除外されたファイルを前記表示されたファイルのグループから外すための条件記述が付け加えられるように制御することを特徴とする請求項２記載のファイル管理装置。
【請求項７】
前記制御手段は、ユーザが、表示されたファイルのグループの中から、少なくとも一つのファイルを除外することにより、このファイルの付属データに、前記表示されたファイルのグループから除外されるための記述が付け加えられるように制御することを特徴とする請求項６記載のファイル管理装置。
【請求項８】
前記制御手段は、ユーザが、表示されたファイルのグループの中から、検索条件を加えて、更に絞り込んだファイルのグループを一覧表示されるように制御することを特徴とする請求項２記載のファイル管理装置。
【請求項９】
前記制御手段は、ユーザにより追加された検索条件が、一つの名前やアイコンとして、元々の検索条件を表す名前やアイコンに関連させて、その近傍に表示されるように制御することを特徴とする請求項８記載のファイル管理装置。
【請求項１０】
前記制御手段は、ユーザが、追加された検索条件を表す名前やアイコンを指示することにより、元々の検索条件より更に追加された検索条件に該当するファイルを一覧表示させるように制御することを特徴とする請求項９記載のファイル管理装置。
【請求項１１】
前記制御手段は、ユーザが、表示されたファイルのグループの中から、検索条件を加えて、更に絞り込んだファイルのグループを表示させた場合に、このファイルのグループを検索するための検索条件について、新たに名前やアイコンで登録できるように制御することを特徴とする請求項８記載のファイル管理装置。
【請求項１２】
前記制御手段は、記憶手段に保存されたファイルに対して、そのファイルがどのような経路で前記記憶手段に保存されたかを、当該ファイルに関連させた付属データとして同時に記録・保存するように制御することを特徴とする請求項２乃至１２のいずれかに記載のファイル管理装置。
【請求項１３】
前記経路にまつわって取得される付属データが複数であることを特徴とする請求項１２記載のファイル管理装置。
【請求項１４】
前記制御手段は、記憶手段に保存されたファイルに対して、そのファイルが、他のどのようなファイルと共に前記記憶手段に保存されたかを、当該ファイルに関連させた付属データとして同時に記録・保存するように制御することを特徴とする請求項２乃至１１のいずれかに記載のファイル管理装置。
【請求項１５】
前記記憶手段に保存されたファイルを利用するため付属データが、ファイル名、拡張子、データの種類、作成日時、保存日時、保存経路、関連データであることを特徴とする請求項２乃至１４のいずれかに記載のファイル管理装置。
【請求項１６】
コンピュータ・データの利用単位であるファイルを管理するファイル管理装置を制御するためのコンピュータ読み取り可能なプログラムにおいて、
前記ファイルを検索するための検索条件の組み合わせを一つの名前やアイコンで登録する登録ステップと、ユーザが前記登録ステップにより登録した名前やアイコンを指定する指定ステップと、前記指定ステップにより前記名前やアイコンを指定することにより前記検索条件に該当するファイルが一覧表示されるように制御する制御ステップとをコンピュータに実行させるためのプログラムコードから成ることを特徴とするプログラム。
【請求項１７】
請求項１６のプログラムを格納したことを特徴とする記憶媒体。
【発明の詳細な説明】
【０００１】
【発明の属する技術分野】
本発明は、コンピュータ・データの利用単位であるファイルを管理するファイル管理方法及び装置及びその装置を制御するためのプログラム及びそのプログラムを格納した記憶媒体に関する。
【０００２】
【従来の技術】
階層型ファイルシステムと呼ばれるファイル管理方法においては、ユーザは、保存された特定のファイルを検索して利用するために、フォルダと呼ばれるファイルやフォルダ自身を纏めた管理単位を辿りながら、所望のファイルを検索する方法が一般的である。
【０００３】
また、これと共に、ファイルのタイトルや作成日等のデータを基に、所望のファイルを検索する方法が従来から利用されている。
【０００４】
【発明が解決しようとする課題】
しかしながら、階層型ファイルシステムにおいては、ユーザは、所望のファイルを検索し易くするために、適切なタイトルを持ったフォルダ構造を作成し、様々なファイルを意味や用途によって分類しながら、フォルダに格納していく必要があった。
【０００５】
また、階層型ファイルシステムにおいては、一つのファイルが同時に複数の意味や用途を持つ場合でも、これを複製しない限り、階層的に関係しない複数のフォルダに同時に格納することができない。
【０００６】
他方、現行のファイル検索方法においては、ユーザが検索のたびにその検索条件を指示・入力する必要がある。
【０００７】
また、現行のファイル検索方法において、検索結果として表示されたファイルのグループに対して、ユーザが任意のファイルを追加、または除外しようとした場合、その検索条件を細かく書き換える必要があり、その煩わしさによって、その様な使われ方は殆どなされていないのが現状である。
【０００８】
近年、デジタルカメラ、デジタルビデオ等の普及に伴い、個人が生成・利用するコンピュータファイルの量は増大している。
【０００９】
同時に、コンピュータファイルを記憶する記憶媒体の容量も増大しており、個人の管理下にあるコンピュータファイルは膨大なものになりつつある。
【００１０】
こうしたコンピュータファイルは、上述したように階層型ファイルシステムと呼ばれるファイル管理方法によって管理されるのが一般的である。これは、保存された特定のファイルを、フォルダと呼ばれる、ファイルやフォルダ自身を纏めた管理単位を辿りながら検索して利用する方法である。
【００１１】
この方法においては、ユーザは、所望のファイルが階層化されたディレクトリを辿って見出されるようにするために、ファイルの意味や用途に応じて、予め、適切に設定されたフォルダに仕分けておく必要があり、前述のように扱うファイル量が膨大となりつつある状況下では大変な作業である。
【００１２】
また、一つのファイルの持つ意味や用途は一通りではないことが通常であるが、階層型ファイルシステムにおけるフォルダを利用した仕分けでは、二つ以上の意味や用途に基づいた分類を行うことは難しい。
【００１３】
例えば、「写真」というフォルダと、「運動会」というフォルダがあったとする。ユーザが仕分けようとしているファイルの内容が仮に「運動会の写真」であったとして、ユーザは、このファイルを「写真」というファイルグループにも、また「運動会」というファイルグループにも見出したいと考えるであろう。
【００１４】
しかし、階層型ファイルシステムにおいては、このファイルを複製しない限り、これを二つのフォルダのそれぞれに同時に格納することはできない。
【００１５】
一般的なファイル管理システムでは、一方で、ユーザが適切な仕分けを行わなかったり、仕分けた場所を忘れた場合も、所望のファイルを検索できるようにするために、ファイル検索手段が提供されている。
【００１６】
一般的なファイル検索手段は、ユーザの指示によりダイアログを表示し、そこで検索の項目「例えば（ファイル名称）や（作成日時）と値、例えば（２００１年運動会の写真）や（２００１年１０月１０日）と検索条件（〜を含む）や（完全一致）等」を入力するものである。
【００１７】
しかし、このようなファイル検索手段は、一度の操作毎に文字の入力を伴う等の理由から、頻繁な使用には適さず、上述の階層型ファイルシステムについて補完的に用いられている（この方法を使用することなくファイル管理を行うユーザが多い）。
【００１８】
本発明は上述したような従来技術の有する問題点を解決するためになされたもので、その目的は、大量のファイルを効率的に検索することを可能にしたファイル管理方法及び装置及びプログラム及び記憶媒体を提供することである。
【００１９】
【課題を解決するための手段】
上記目的を達成するために本発明のファイル管理方法は、コンピュータ・データの利用単位であるファイルを管理するファイル管理方法において、前記ファイルを検索するための検索条件の組み合わせを一つの名前やアイコンで登録する登録ステップと、ユーザが前記登録ステップにより登録した名前やアイコンを指定する指定ステップと、前記指定ステップにより前記名前やアイコンを指定することにより前記検索条件に該当するファイルが一覧表示されるように制御する制御ステップとを有することを特徴とする。
【００２０】
また、上記目的を達成するために本発明のファイル管理装置は、コンピュータ・データの利用単位であるファイルを管理するファイル管理装置において、前記ファイルを検索するための検索条件の組み合わせを一つの名前やアイコンで登録する登録手段と、ユーザが前記登録手段により登録した名前やアイコンを指定する指定手段と、前記指定手段により前記名前やアイコンを指定することにより前記検索条件に該当するファイルが一覧表示されるように制御する制御手段とを有することを特徴とする。
【００２１】
また、上記目的を達成するために本発明のプログラムは、コンピュータ・データの利用単位であるファイルを管理するファイル管理装置を制御するためのコンピュータ読み取り可能なプログラムにおいて、前記ファイルを検索するための検索条件の組み合わせを一つの名前やアイコンで登録する登録ステップと、ユーザが前記登録ステップにより登録した名前やアイコンを指定する指定ステップと、前記指定ステップにより前記名前やアイコンを指定することにより前記検索条件に該当するファイルが一覧表示されるように制御する制御ステップとをコンピュータに実行させるためのプログラムコードから成ることを特徴とする。
【００２２】
更に、上記目的を達成するために本発明の記憶媒体は、前記プログラムを格納したことを特徴とする。
【００２３】
【発明の実施の形態】
以下、本発明の一実施の形態を図面に基づき説明する。
【００２４】
図１は、本発明の一実施の形態に係るファイル管理装置の要部構成を示すブロック図である。
【００２５】
図１において、１０１は本実施の形態に係るファイル管理装置で、装置本体１０２、指示入力部１０３及び表示ユニット１０４を有している。装置本体１０２は、後述する外部機器・環境１１４との間で情報をやり取りするインターフェース（Ｉ／Ｆ）部１０５、属性データの取得・生成を行う属性データ取得・生成部１０６、ファイルを記憶するファイル記憶部１０７、属性データを記憶する属性データ記憶部１０８及び演算処理する演算部１０９を有している。演算部１０９は、指示内容を制御する指示制御部１１０、ファイルを検索する検索部１１１、検索結果を呈示する結果呈示部１１２及び表示内容を制御する表示制御部１１３を有している。
【００２６】
指示入力部１０３は、キーボード等から成り、各種の指示情報を入力するものである。表示ユニット１０４は、各種の情報を画面に表示するものである。
【００２７】
また、図１において、１１４は外部機器・環境で、外部機器１１５及びネットワーク１１６を有している。外部機器１１５としては、デジタルカメラ、デジタルビデオ、スキャナー等である。また、ネットワーク１１６としては、インターネット、ＬＡＮ（ローカルエリアネットワーク）等である。
【００２８】
図２は、本実施の形態に係るファイル管理装置１０１における表示ユニット１０４上での画面表示状態の一例を示す図である。
【００２９】
図２において、２０１は領域（１）、２０２は領域（２）、２０３は「条件追加…」というボタン、２０４は「このファイルグループをライブラリにする…」というボタンである。
【００３０】
次に、本実施の形態に係るファイル管理装置１０１の動作を図３を用いて説明する。
【００３１】
図３は、本実施の形態に係るファイル管理装置１０１の動作の流れを示すフローチャートであり、これは、ユーザがライブラリを指定し、図２の領域（２）２０２にライブラリに記述された検索条件により検索されたファイルが表示され、これにドラッグ＆ドロップ操作により任意のファイルの追加を指示し、次回以降当該ライブラリが、追加されたファイルを含むファイルグループを領域（２）２０２に表示する動作の流れを示している。
【００３２】
図２に示すように、領域（２）２０２には、ライブラリとして登録されている検索条件によって、ファイル管理装置１０１内のファイル記憶部１０７に格納されているファイルを検索した結果が、一つ一つのファイルをアイコンとして示す形で表示されている（この表示形態は、一つ一つのファイルをリストとして並べたものであっても構わない）。
【００３３】
図３において、まず、ユーザにより「写真」というライブラリが指示されたか否かを、指示されるまで判断する。そして、「写真」というライブラリをユーザが指示したと判断された場合（このとき、当該ファイル管理装置１０１にファイルが保存された際に取得された付属データの項目は、「ファイル取り込み元」、「取り込み時の色・解像度指定」等であったとする）は、次のステップＳ３０２へ進む。
【００３４】
ステップＳ３０２では、「ファイルの属性データの『ファイル取り込み元』の値が『デジタルカメラ』であるものと、『ファイル取り込み元』の値が『フィルムスキャナ』であるものと、『ファイル取り込み元』の値が『フラットベッドスキャナ』であり、且つ『取り込み時の色・解像度指定』が『写真画質』であるものの和集合」の条件で検索されたファイルグループを表示ユニット１０４に表示する。このようにして表示されたファイルグループが、このユーザにとって「写真」である。
【００３５】
今、本実施の形態に係るファイル管理装置１０１内に電子メールの添付ファイルとして取り込まれて保存された画像ファイルがあるものとする。このファイルは、上の「写真」ライブラリの条件に合致しないため、これを指示して表示されるファイルグループ内には含まれない。
【００３６】
しかし、ユーザは、この画像ファイルを、所謂「写真」であると見做し（この見做し方はユーザの主観に基づく）、これを「写真」ライブラリとして表示されるファイルグループに加えたいと考えたとする。
【００３７】
ステップＳ３０３では、ユーザにより図２の領域（２）２０２へ画像ファイルがドラッグ＆ドロップされたか否かを、ドラッグ＆ドロップされるまで判断する。そして、ユーザがこの画像ファイルをドラッグ＆ドロップ等の方法でファイルグループに含めることを指示したと判断された場合は、次のステップＳ３０４へ進んで、ライブラリに記述されている検索条件に「当該ファイルを（無条件に）ファイルグループに追加する」という検索条件を書き加える。これにより、ユーザがそれ以降「写真」ライブラリを指示することによってファイルグループを表示させた中に、ユーザが「写真」であるとしてファイルグループに含めたファイルが現れることとなる。
【００３８】
なお、このときの検索条件の追加記述は、例えば、ファイルＩＤ（識別子）等の当該ファイルに固有の属性データをもってなされるため、それによってユーザの意図しない他のファイルが当該ファイルグループに追加されることはない（このとき使用されるファイルの属性データは、そのファイルに固有であって一つ一つがお互いに識別できるものであればどのようなものであってもよく、例えばＯＳにおけるパス名＋ファイル名も当然これに該当する）。
【００３９】
前記ステップＳ３０４の処理を終了後は、本処理動作を終了する。
【００４０】
なお、ファイルの追加・除外を行う操作は、ここに述べたドラッグ＆ドロップ以外にもソフトウェアの仕様が規定する様々なものが使用できることは言うまでもない。
【００４１】
次に、本実施の形態におけるファイル管理装置１０１において、ユーザが新規にライブラリを作成する処理動作について、図４乃至図９を用いて説明する。
【００４２】
図４及び図５は、ユーザが新規にライブラリを作成する処理動作の流れを示すフローチャートである。
【００４３】
図２の領域（１）２０１の最上段には、「全てのファイル」という名前とアイコンが表示されている。「全てのファイル」は、絞り込み検索条件の全くないライブラリの一種と捉えることができる。
【００４４】
図４において、まず、ユーザにより「全てのファイル」ライブラリが指示されたか否かを、指示されるまで判断する。そして、ユーザにより「全てのファイル」ライブラリが指示されたと判断された場合は、次のステップＳ４０２へ進んで、表示ユニット１０４上「図２の領域（２）２０２」に、ファイル管理装置１０１のファイル記憶部１０７に保存されている全てのファイルを表示する。
【００４５】
今、ユーザがポインティングデバイス等によって指示し、ファイル管理装置１０１を操作するグラフィカルユーザインターフェース（図２）上に「条件追加．．．」というボタン２０３が備わっている。
【００４６】
ステップＳ４０３で、ユーザにより「条件追加．．．」ボタン２０３が指示されたか否かを、指示されるまで判断する。そして、ユーザにより「条件追加．．．」ボタン２０３が指示されたと判断された場合は、次のステップＳ４０４へ進んで、図６に例示されるような条件追加ダイアログが表示ユニット１０４上に表示される。また、その時点で選択されていたライブラリ名がダイアログ上のリストダウンコントロール６０１に現れる「本実施の形態の場合には、（全てのファイル）となる」。
【００４７】
次に、ステップＳ４０５で、ユーザにより属性の項目が選択され、値が入力されたか否かを判断する。前記属性の項目は、幾つでも設定することができ、また、検索方式を細かく設定することが可能であるが、その詳細については省略する。
【００４８】
そして、ユーザが図６に示すダイアログ上で属性の項目を選択し、また値を入力したと判断された場合は、ステップＳ４０６へ進んで、ユーザが図６に示すダイアログ上のＯＫボタン６０２を指示すると、設定された検索条件がライブラリに追加される。そして、前記追加された検索条件は、図７に例示されるように、元々の検索条件を表わす名前やアイコンに関連させて、その近傍に表示される。
【００４９】
図７は、本実施の形態に係るファイル管理装置１０１における表示ユニット１０４上での画面表示状態の一例を示す図である。
【００５０】
図７において、７０１は領域（１）、７０２は領域（２）、７０３は「条件追加…」というボタン、７０４は「このファイルグループをライブラリにする…」というボタンである。
【００５１】
図７の領域（２）７０２には、元々のライブラリに追加された検索条件によって検索されたファイルグループが表示される。
【００５２】
尚、図７は、図２より遷移したものである。
【００５３】
ここで、図７の例では、「全てのファイル」ライブラリ及び追加された検索条件である「取込元：デジタルカメラ」が反転表示されているが、これは、ユーザの指示により、「全てのファイル」の中から「取込元：デジタルカメラ」であるものをファイルグループとして、図７の領域（２）７０２に表示されていることを示すものである。
【００５４】
図２若しくは図７で例示されるグラフィカルユーザインターフェース上には、「このファイルグループをライブラリにする．．．」というボタン７０４が備わっている。
【００５５】
図５において、ステップＳ４０７で、ユーザにより「このファイルグループをライブラリにする．．．」というボタン７０４が指示されたか否かを、指示されるまで判断する。そして、ユーザにより「このファイルグループをライブラリにする．．．」というボタン７０４が指示されたと判断された場合は、次のステップＳ４０８へ進んで、図８に例示されるような、ライブラリに名称を付与するための「新規ライブラリ」ダイアログを表示ユニット１０４に表示する。
【００５６】
次に、ステップＳ４０９へ進んで、ユーザにより名称が入力されたか否かを判断する。そして、ユーザにより名称が入力されたと判断された場合、即ち、ユーザが図８に示すダイアログで任意の名称を入力し、同ダイアログ上のＯＫボタン８０１を押下すると、ステップＳ４１０へ進んで、その名称を与えられた新たなライブラリを、図２または図７の領域（１）に追加した後、本処理動作を終了する。
【００５７】
このようにしてユーザは新規にライブラリを作成することができる。
【００５８】
尚、この手続きは、既に作成されているライブラリを元に検索条件を追加して行うことも可能である。
【００５９】
また、実用上は、既に作成されているライブラリを削除する手続き、その内部に記述されている検索条件を変更する手続きも提供されるべきであるが、その詳細については省略する。
【００６０】
検索条件の組み合わせを一つの名前やアイコンで登録し、ユーザがその名前やアイコンをマウスクリック等の手段で指定することにより、検索条件に該当するファイルが一覧表示され、また、一覧表示されたファイルのグループに対してドラッグ＆ドロップ等の手段でファイルの追加、または除外を指示することにより、当該ファイルグループを表示させるための検索条件に更に当該ファイルを追加、または除外する条件記述を付け加えることによって、ファイルグループの管理に際し、現行のファイル管理システムを扱うのと同等の操作性を提供するものである。
【００６１】
以上説明したように、本実施に形態に係るファイル管理装置１０１によれば、ユーザは検索条件を適切に記述し、ライブラリとして一つの名前若しくはアイコンとして登録することにより、ファイル保存時に特別にファイル名や格納場所を指示することなく、後々、所望のファイルを容易に呼び出し利用することができる。
【００６２】
また、上記検索条件に例外的に漏れたファイル、または、例外的に含まれてしまったファイルも、簡単な操作により、上記検索条件に基づくファイルグループに含めたり、除外することができ、結果として、ユーザは、大量のファイルを、仕分け・分類や名前付けに多くの時間を費やすことなく、効率的に探し出し利用することができる。
【００６３】
尚、記憶されたファイルから属性データを取得して検索利用を容易にする方法としては、特開２０００−２８５１３４号公報に記載されたものがある。この中に、検索に利用する属性データとして挙げられているＩＤ番号、ファイル名、パス名、ファイルの種類、メディアの種類、作成日時、タイトル、作者およびファイルから抽出されたキーワードと、インターネットより取得したファイルにおけるＵＲＬ情報は、該方法が提案される以前より検索に用いられており、公知である。
【００６４】
本実施の形態に係るファイル管理装置１０１において利用する独自の属性データとしては、そのファイルがどのような経路でファイル管理装置１０１に保存されたかを取得・利用することを示している。
【００６５】
また、本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成されることは言うまでもない。
【００６６】
この場合、記憶媒体から読み出されたプログラムコード自体が前述した実施の形態の機能を実現することになり、そのプログラムコードを記憶した記憶媒体は本発明を構成することになる。
【００６７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００６８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００６９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【００７０】
【発明の効果】
以上説明したように、本発明によれば、大量のファイルを、仕分け・分類や名前付けに多くの時間を費やすことなく、効率的に検索して利用することができる。
【図面の簡単な説明】
【図１】本発明の一実施の形態に係るファイル管理装置の構成を示すブロック図である。
【図２】本発明の一実施の形態に係るファイル管理装置における表示ユニットの表示例を示す図である。
【図３】本発明の一実施の形態に係るファイル管理装置の動作の流れを示すフローチャートである。
【図４】本発明の一実施の形態に係るファイル管理装置の動作の流れを示すフローチャートである。
【図５】本発明の一実施の形態に係るファイル管理装置の動作の流れを示すフローチャートである。
【図６】本発明の一実施の形態に係るファイル管理装置における表示ユニットの表示例を示す図である。
【図７】本発明の一実施の形態に係るファイル管理装置における表示ユニットの表示例を示す図である。
【図８】本発明の一実施の形態に係るファイル管理装置における表示ユニットの表示例を示す図である。
【図９】本発明の一実施の形態に係るファイル管理装置における表示ユニットの表示例を示す図である。
【符号の説明】
１０１　　ファイル管理装置
１０２　　ファイル管理装置本体
１０３　　表示入力部
１０４　　表示ユニット
１０５　　インターフェース（Ｉ／Ｆ）部
１０６　　属性データ取得・生成部
１０７　　ファイル記憶部
１０８　　属性データ記憶部
１０９　　演算部
１１０　　指示制御部
１１１　　検索部
１１２　　結果呈示部
１１３　　表示制御部
１１４　　外部機器・環境
１１５　　外部機器
１１６　　ネットワーク
２０１　　領域（１）
２０２　　領域（２）
２０３　　「条件追加…」ボタン
２０４　　「このファイルグループをライブラリにする…」ボタン
６０１　　リストダウンコントロール
６０２　　「ＯＫ」ボタン
７０１　　領域（１）
７０２　　領域（２）
７０３　　「条件追加…」ボタン
７０４　　「このファイルグループをライブラリにする…」ボタン
【図１】
2004038755.tif 000003
【図２】
2004038755.tif 000004
【図３】
2004038755.tif 000005
【図４】
2004038755.tif 000006
【図５】
2004038755.tif 000007
【図６】
2004038755.tif 000008
【図７】
2004038755.tif 000009
【図８】
2004038755.tif 000010
【図９】
2004038755.tif 000011